(57)【要約】【課題】例えば脚付き家具の脚等の下端に付着した塵を簡単な操作で吸引して取除くのに好適な電気掃除機用吸込み具を提供する。【解決手段】吸込み具５は、合流空間を有する合流部１１と、接続管１５と、一対の吸引アーム１６とを具備している。接続管１５は合流部１１内に負圧を波及させるものであって、この接続管１５を合流部１１から後向きに突設する。一対の吸引アーム１６を、相互間に脚付き家具の脚等の掃除対象物を受入れ可能でかつ合流部１１に近づく程狭くなるスペースＳを形成して、合流部１１から前方に二股状に突出させて配設する。これら吸引アーム１６の互いの対向面下部に合流部１１内に連通する吸口を設けたことを特徴としている。【選択図】      図１
2010082237.tif 000002
【特許請求の範囲】
【請求項１】
合流空間を有する合流部と、
この合流部から後向きに突出されて前記合流部内に負圧を波及させる接続管と、
相互間に掃除対象物を受入れ可能でかつ前記合流部に近づく程狭くなるスペースを形成して前記合流部から前方に二股状に突設されているとともに、互いの対向面下部に前記合流部内に連通する吸口を有した一対の吸引アームと、
を具備したことを特徴とする電気掃除機用吸込み具。
【請求項２】
一対の前記吸引アーム間に掃除対象物が受入れられたことを検出する検出手段を備え、一対の前記吸引アームのうち、少なくとも一方の吸引アームがその前記合流部に接続された合流部側端部を支点に可動して他方の吸引アームに対し接近離反可能に設けられていて、前記検出手段が前記掃除対象物を検出したことに基づいて一対の前記吸引アームが互いに接近する方向に動かされるようにしたことを特徴とする請求項１に記載の電気掃除機用吸込み具。
【請求項３】
一対の前記吸引アームが円弧状をなしていることを特徴とする請求項２に記載の電気掃除機用吸込み具。
【請求項４】
一対の前記吸引アームを互いに離反させる方向に付勢する付勢部材を備え、前記検出手段が、一対の前記吸引アームの先端部間にわたって設けられて前記付勢部材の付勢力で張った状態に維持されるとともに、前記掃除対象物を検出した際に一対の前記吸引アームを互いに接近する方向に動かす紐からなることを特徴とする請求項２又は３に記載の電気掃除機用吸込み具。
【請求項５】
一対の前記吸引アームを互いに離反させる方向に付勢する付勢部材を備え、前記検出手段が、前記合流部から前方に突出されていて前記スペースに受入れられた前記掃除対象物によって後方に押込まれる検出釦を有し、一対の前記吸引アームが前記合流部内に延出されて前記検出釦の移動に追従するアーム駆動凸部を有していて、前記検出釦が前記掃除対象物を検出した際の前記アーム駆動凸部の動きに従って一対の前記吸引アームが互いに接近する方向に動かされることを特徴とする請求項２又は３に記載の電気掃除機用吸込み具。
【請求項６】
一対の前記吸引アームが可撓性を有していることを特徴とする請求項４に記載の電気掃除機用吸込み具。
【請求項７】
請求項２〜６の内のいずれか一項に記載の吸込み具と、
下面に吸込み口が開口されたヘッド部、及び前記吸込み口に連通する通孔が形成されているとともに前記吸込み具の吸引アームが着脱自在なアーム取付け部を有し、このアーム取付け部に取付けられた前記吸引アームの吸口と前記通孔とが連通される吸込みヘッドと、
前記アーム取付け部に対して前記吸引アームが取付けられた状態を保持するロック手段と、
を具備したことを特徴とする電気掃除機用吸込み口体。
【発明の詳細な説明】
【技術分野】
【０００１】
本発明は、例えば脚付き家具の脚の下端周り等を掃除するのに好適な電気掃除機用吸込み具及びこれを備えた電気掃除機用吸込み口体関する。
【背景技術】
【０００２】
従来、床用吸込み口体を、この口体の中央部で回動可能に接続された一対の可動吸込み部で形成するとともに、これら可動吸込み具を左右方向に並んだ状態にばねで付勢し、広い場所を掃除する形態の他に、可動吸込み部を可動させて部屋の隅等を掃除するのに適した形態を採り得るようにした床用吸込み口体が知られている（例えば、特許文献１，２参照。）。
【０００３】
特許文献１の床用吸込み口体の一対の可動吸込み部はばねで下向きに付勢されている。この特許文献１の床用吸込み口体は、壁の隅に一対の可動吸込み部を押付けて互いの上面が近づくように回動させて、一方の可動吸込み部を床面に沿わせるとともに他方の可動吸込み部を壁面に沿わせることにより、壁の隅の掃除に適した形態で使用できる。
【０００４】
特許文献２の床用吸込み口体の一対の可動吸込み部はばねで前向きに付勢されている。この特許文献２の床用吸込み口体が前側に押し動かされて、少なくとも一方の可動吸込み部が前方の障害物に当たった場合に、この障害物を避けるように可動吸込み部は後方に回動される。したがって、家具と壁等の間の狭い場所に挿入するのに適した形態で使用でき、又は、壁の隅に一方の可動吸込み具を沿わせるのに適した形態で使用できる。
【特許文献１】実願平1-8744号（実公平2-102154号）のマイクロフィルム
【特許文献２】特開2000-79080号公報
【発明の開示】
【発明が解決しようとする課題】
【０００５】
テーブルや椅子等の脚付き家具の中には、３本ないし５本の柱状の脚を備えるものがあり、これらの脚の下端に綿状の塵等が床面との間で挟まれるように付着することが知られている。
【０００６】
特許文献１，２に記載された電気掃除機用吸込み口体は、その前側から積極的に吸塵ができないことに加えて、吸込み口体の幅（左右方向の長さ）は家具の脚の断面の大きさに対して遥かに大きい。そのため、特許文献１，２に記載された電気掃除機用吸込み口体を用いて、家具の脚の下端に付着した綿状の塵等を吸引して取除くには、家具の脚に対して様々な方向（角度）から脚の下端部に吸込み口体の前端を押し当てる操作を何度もする必要がある。したがって、作業性が悪く、その改善が望まれている。
【０００７】
なお、可動吸込み部を有することなく床の広い面積を掃除するのに適していて前側からも積極的な吸塵ができる一般的な吸込み口体においても、家具の脚の下端周りを掃除する場合、様々な方向から脚の下端部に吸込み口体の前端を押し当てる操作を何度もする必要があり、事情は同じである。
【０００８】
本発明の目的は、例えば脚付き家具の脚等の下端に付着した塵を簡単な操作で吸引して取除くのに好適な電気掃除機用吸込み具及びこの吸込み具を備えた電気掃除機用吸込み口体を提供することにある。
【課題を解決するための手段】
【０００９】
本発明の吸込み具は、合流空間を有する合流部と、接続管と、一対の吸引アームとを具備し、合流部内に負圧を波及させる接続管を合流部から後向きに突設し、一対の吸引アームを、相互間に脚付き家具の脚等の掃除対象物を受入れ可能でかつ合流部に近づく程狭くなるスペースを形成して、合流部から前方に二股状に突設し、これら吸引アームの互いの対向面下部に合流部内に連通する吸口を設けたことを特徴としている。
【発明の効果】
【００１０】
本発明によれば、例えば脚付き家具の脚等の下端に付着した塵を簡単な操作で吸引して取除くのに好適な電気掃除機用吸込み具及びこの吸込み具を備えた電気掃除機用吸込み口体を提供できる。
【発明を実施するための最良の形態】
【００１１】
図１〜図６を参照して本発明の第１実施形態を説明する。
【００１２】
図３中符号１は電気掃除機を示しており、この電気掃除機１は、図示しない電動送風機が内蔵された掃除機本体２と、吸塵風路体３と、吸込み口体４を備えている。吸塵風路体３は、掃除機本体２の吸塵口に接続された吸塵ホース（図示しない）、及びこのホースの手元操作部に着脱可能に接続された延長管（図示しない）を備えており、吸込み口体４は延長管の先端部又は手元操作部に着脱可能に接続されている。
【００１３】
吸込み口体４は、吸込み具５と、吸込みヘッド６と、ロック手段７と、を具備している。
【００１４】
図１及び図２に示すように吸込み具５は、合流部１１と、接続管１５と、一対の吸引アーム１６と、検出手段例えば紐２３と、付勢部材例えば一対の板ばね２５を具備している。
【００１５】
合流部１１は、例えば、上ケース部材１２と下ケース部材１３を連結して中空に形成されている。この合流部１１の前壁はその長手方向中央部が最も後方に向けて凹むように湾曲している。図２に示すように下ケース部材１３の後壁には管支え部１３ａが一体に突設されている。
【００１６】
合流部１１の左右両側壁の夫々には図示しないアーム接続口が開口されている。合流部１１内には図５に示す隔壁１２ｂ，１３ｂが一体に設けられている。これらの隔壁１２ｂ，１３ｂは合流部１１内を、アーム接続口が臨んだ内部空間（合流空間）１１ａと、この内部空間１１ａとは独立したロック室１１ｂとに区画している。ロック室１１ｂは合流部１１の内部前部でかつ上部に位置して形成されている。合流部１１の前壁上部中央位置に、被ロック部として例えばロック孔１４（図１及び図５参照）が、ロック室１１ｂに臨んで開口されている。
【００１７】
接続管１５は、合流部１１の後壁中央部に取付けられていて、この合流部１１から後向きに突出されている。この接続管１５の後端部は前記延長管の先端部又は手元操作部に着脱可能に嵌合される。したがって、電気掃除機の使用時に、電動送風機の運転により発生する負圧が前記吸塵風路体３を通って合流部１１の内部空間１１ａに波及されるようになっている。なお、接続管１５は合流部１１への取付け部を支点に起倒可能であり、その起倒動作に伴い接続管１５の前部が管支え部１３ａに対してその上方から接離可能である。管支え部１３ａで下側から支持された状態の接続管１５は、図１に示すように斜め上後方に向けて突出するように位置決めされる。
【００１８】
図１及び図２に示すように一対の吸引アーム１６は、アーム部１７と、撓み部１８と、合流部側端部をなす嵌合端部１９と、吸口２０とからなる。
【００１９】
アーム部１７は、パイプ状でかつ好ましい例として平面視円弧状をなしているとともに、その一端、つまり吸引アーム１６の先端は閉じられている。撓み部１８は、アーム部１７の他端に一体に連続して設けられていて、例えば短い蛇腹管部で形成されている。嵌合端部１９は撓み部１８に一体に連続して設けられていて周方向に連続する環状の溝を有している。吸口２０はアーム部１７に開口されている。具体的には、後述のように相対向して配設される一対のアーム部１７の対向面下部に開口されている（図２参照）。これらの吸口２０はアーム部１７と同方向に沿って延びている。
【００２０】
なお、吸口２０は、アーム部１７が延びる方向に間隔的に複数設けることも可能である。又、第１実施形態では、図４に示すように吸口２０は、断面円形のアーム部１７の下端には達していないが、この下端に達するような大きさの吸口であってもよい。
【００２１】
一対の吸引アーム１６はその嵌合端部１９を上ケース部材１２と下ケース部材１３とに挟まれて合流部１１の両側壁に取付けられている。この場合、嵌合端部１９の嵌合溝は、合流部１１のアーム接続口の縁部１１ｃ（図２参照）に嵌合されている。この取付けにより、図１に示すように一対の吸引アーム１６は、合流部１１から前方に二股状に突設されている。これとともに、一対の吸引アーム１６は、相互間に合流部１１に近づくほど狭くなるスペースＳを形成して、合流部１１を中心に左右対称に配設されている。スペースＳは掃除対象物例えばテーブルや椅子などの脚付き家具の脚Ｌ（図６（Ａ）（Ｂ）参照）を受け入れ可能な大きさとなっている。したがって、合流部１１に取付けられた両方の吸引アーム１６の吸口２０は、互いに対向しているとともに、これら吸口２０と合流部１１の内部空間１１ａとは連通されている。
【００２２】
紐２３は、図１に示すように一対の吸引アーム１６の先端部にわたって設けられている。紐２３は、布、皮、紙等から形成することができる他、繊維又は針金等により形成することも可能である。
【００２３】
板ばね２５は、合流部１１内部の図示しないばね固定部（図示しない）に固定されており、その自由端部が図２に示すように撓み部１８の後部内面を後方へ押している。これにより、一対の吸引アーム１６が互いに開く方向、言い換えれば、一対の吸引アーム１６が互いに離反させる方向に付勢されている。そのため、紐２３は図１に示すように張った状態に維持されているとともに、この紐２３が合流部１１に向けて押されて変形した場合に一対の吸引アーム１６が互いに接近する方向に嵌合端部１９を支点として動かされるようになっている。なお、図２中２６は板ばね２５の自由端部に固定されて撓み部１８の内面に接する接触部材を示している。
【００２４】
吸込みヘッド６は、室内の床面を掃除する際に吸込み具５とともに用いられるものであり、図３〜図５に示したヘッド部３１と、受け部３５と、アーム取付け部３８とを備えている。
【００２５】
図３に示すようにヘッド部３１は左右方向に延びる横長形状をなしており、その下面に吸込み口３２が開口されている。この吸込み口３２は左右方向に延びている。なお、図５中符号３３はバンパーを示している。
【００２６】
図３に示すように受け部３５はヘッド部３１の後部中央位置の下部から後方に向けて突設されている。この受け部３５は、水平な上面を有していて、吸込み具５が着脱可能に載置される座として用いられる。なお、受け部３５の内部は中空でヘッド部３１内と連通しているが、これらの間に仕切り壁を設けて非連通状態とすることもできる。
【００２７】
アーム取付け部３８はヘッド部３１の後部中央位置上面と受け部３５の中央部上面にわたって設けられていて、このアーム取付け部３８内とヘッド部３１内とは連続している。図３に示すようにアーム取付け部３８は、平面視略円形で、かつ、ヘッド部３１及び受け部３５の上面よりも高く形成されている。アーム取付け部３８の周壁において前後方向に沿う円弧の形と、一対の吸引アーム１６の相対向する面の円弧の形とは略同じである。
【００２８】
図４に示すようにアーム取付け部３８の周壁の下部は上下方向に沿う円弧状に形成されている。この根元部の円弧面と吸引アーム１６の外周面とは略同じ曲率で形成されていて、それにより、アーム取付け部３８の周壁の下部外側面に沿って吸引アーム１６が配置されるようになっている。アーム取付け部３８の周壁において上下方向に円弧状となっている下部には通孔３９が開口されている。吸込み具５が吸込みヘッド６に連結された状態で、吸込みヘッド６の内部と吸引アーム１６の内部とは、通孔３９とこれに対向した吸引アーム１６の吸口２０を介して連通されるようになっている。
【００２９】
ロック手段７は、前記ロック孔１４と、このロック孔１４の孔縁に係脱される係脱機構部４１とからなる。係脱機構部４１は図５に示すようにアーム取付け部３８の後部に、このアーム取付け部３８の内部とは隔離して取付けられていて、後述する押し釦部を除いてアーム取付け部３８に取付けられたカバー４２で覆われている。
【００３０】
図５に示すように係脱機構部４１は、ロック部材４３とロックばね４４を備えている。ロック部材４３は、ベルクランク状をなしていて枢軸４５を支点に回動可能に取付けられている。ロック部材４３の後端部は爪状をなすロック部４３ａをなしていて、このロック部４３ａはロック孔１４に挿脱可能であって、ロック孔１４に挿入されることによりロックばね４４のばね力でロック孔１４の縁部に引っ掛け保持されるようになっている。ロック部材４３の上端部はカバー４２を貫通して設けられた押し釦部４３ｂをなしている。この押し釦部４３ｂを押し下げてロック部材４３を図５中反時計回りに回動させることにより、図５中二点鎖線で示すようにロック部４３ａがロック孔１４の縁部から外されるようになっている。
【００３１】
吸込み具５は、それを用いて直接吸塵をするとき以外は、吸込みヘッド６から掃除機本体２に至る吸込み経路の一部をなして使用される。この場合、吸込み具５は、吸込みヘッド６に連結され、この吸込みヘッド６とともに吸込み口体４を構成して使用される。
【００３２】
すなわち、吸込み口体４を組立てるには、吸込み具５を吸込みヘッド６に対してその後方から前方に押し込んで、吸込み具５の合流部１１及び一対の吸引アーム１６を、吸込みヘッド６の受け部３５上面に載置させればよい。
【００３３】
これにより、一対の吸引アーム１６のスペースＳに吸込みヘッド６のアーム取付け部３８が受け入れられるとともに、紐２３がアーム取付け部３８に後側から巻き付けられる。それに伴い一対の吸引アーム１６が紐２３に引っ張られるので、撓み部１８を可撓変形させるとともに板ばね２５をその付勢力が強くなるように弾性変形させながら、一対の吸引アーム１６が互いに接近する方向に動かされる。このため、これら吸引アーム１６が図３に示すようにアーム取付け部３８の側面に沿ってこのアーム取付け部３８を抱持した状態となる。これとともに、図４に示したように吸引アーム１６の吸口２０がアーム取付け部３８の通孔３９に対向された状態となる。
【００３４】
それと同時に、係脱機構部４１のロック部材４３のロック部４３ａが、吸込み具５のロック孔１４を通ってロック室１１ｂ内に入り込んで、ロックばね４４の力により、ロック孔１４の孔縁に引っ掛かる。
【００３５】
以上の手順により、吸込みヘッド６に吸込み具５がロック手段７で連結されて、吸込み口体４が組立てられる。この組立て状態では、吸込みヘッド６の吸込み口３２が、ヘッド部３１及びアーム取付け部３８の内部を通じて、互いに連通している通孔３９及び吸口２０を介して一対の吸引アーム１６の内部に連通しており、更に、吸込み具５の吸引アーム１６と接続管１５とは合流部１１を介して連通している。
【００３６】
そのため、延長管等に接続管１５を嵌合により接続した状態で、電気掃除機１を使用すれば、電動送風機の運転により発生される負圧（吸引力）が吸込み口体４の吸込み口３２に波及するので、この吸込み口３２を通して床面の塵を空気とともに吸込むことができる。この場合、吸込み口３２から吸込まれた含塵空気は、吸込みヘッド６の内部からアーム取付け部３８の内部を経由して、通孔３９及び吸口２０を通って一対の吸引アーム１６内に吸込まれ、更に、これら吸引アーム１６から合流部１１の内部空間１１ａに吸込まれて合流された後、接続管１５から吸塵風路体３を通って掃除機本体２に吸込まれる。
【００３７】
掃除の途中等において、脚付き家具の脚Ｌの下端周りを掃除する場合は、吸込み口体４を分解して吸込み具５の吸口２０から直接吸塵をすれば良い。
【００３８】
すなわち、係脱機構部４１の押し釦部４３ｂをロックばね４４に抗して押しながらロック部材４３を、図５中実線の状態から二点鎖線で示した状態に回動させて、そのロック部４３ａをロック孔１４の孔縁から外すことにより、ロック手段７によるロックを解除できる。そうすると、板ばね２５が復元しようとする付勢力によって、一対の吸引アーム１６が互いに遠ざかる方向に動かされるに伴い、アーム取付け部３８に対してその後方へ吸込み具５を外すことができる。
【００３９】
吸込み具５が吸込みヘッド６から外された状態で、その紐２３は、板ばね２５の付勢力により、図１に示すように一対の吸引アーム１６の先端部間にわたって張った状態となっている。
【００４０】
そのため、この紐２３を図６（Ａ）に示すように家具の脚Ｌに対向させて、この脚Ｌに紐２３を押付けることにより、図６（Ｂ）に示す状態で、脚Ｌの下端周りを吸引して掃除することができる。
【００４１】
詳しくは、脚Ｌに紐２３を押付けることにより相対的に紐２３が脚Ｌに対して略半周にわたり巻き付けられる。言い換えれば、紐２３が脚Ｌを検出する。それに伴い、一対の吸引アーム１６が紐２３に引っ張られる。このため、撓み部１８を可撓変形させるとともに板ばね２５をその付勢力が強くなるように弾性変形させながら、一対の吸引アーム１６が互いに接近する方向に動かされる。それにより、これら吸引アーム１６が脚Ｌの下端部に接近して、この脚Ｌの下端部を恰も挟んだのと近似した状態となる。
【００４２】
こうした状態では、脚Ｌの下端部を挟むように配置された一対の吸引アーム１６の吸口２０が、脚Ｌの下端部に接近して対向されているので、家具の脚Ｌの下端に付着した綿状の塵及び脚Ｌの下端部周面に付着した綿状の塵等を効果的に吸込み具５で吸取って掃除できる。
【００４３】
以上の掃除では、脚Ｌの下端部を一方向からだけではなく、脚Ｌを挟むようにして吸引できるので、脚Ｌに吸込み具５を様々な角度から押し当てる回数を減らすことができる。それだけではなく、既述のように紐２３が脚Ｌに対し略半周にわたり巻き付けられた状態を保持したまま、紐２３を脚Ｌの周面に沿わせながら吸込み具５を脚Ｌの周囲に移動させて掃除をすることが可能である。この場合、紐２３が脚Ｌに巻き付いているので、不用意に吸込み具５が脚Ｌから外れることがない。この点においても、脚Ｌに吸込み具５を押し当てる回数を減らすことができる。したがって、脚Ｌの下端部に付着した塵を容易に吸取って掃除することができる。
【００４４】
しかも、第１実施形態では、各吸引アーム１６が左右対称でかつ円弧状をなしていて、これら吸引アーム１６が脚Ｌを恰も抱持したのと近似した状態となっている。したがって、脚Ｌの下端に付着した綿状の塵等をより効果的に吸取ることができる。
【００４５】
第１実施形態では、一対の吸引アーム１６の一部に撓み部１８を設けたが、吸引アーム１６の略全体が可撓性を有するように例えばアーム部１７を可撓性の材料で構成してもよい。この構成では、脚Ｌを検出した紐２３の引っ張りに伴って、一対の吸引アーム１６を脚Ｌの外周形状に倣って容易に可撓変形させて、脚Ｌの下端部を十分に抱持するように各吸引アーム１６を配設できる。
【００４６】
そのため、脚Ｌの断面が円形ではなく四角形等異形形状の脚に対しても、その下端部外周にフィットするように一対の吸引アーム１６が配設された状態で、脚Ｌの下端部を掃除できる点で好ましいとともに、脚Ｌの掃除に伴ってアーム部１７で傷付けられないようにできる。
【００４７】
しかも、アーム部１７が可撓性を有した構成では、図３に示した吸込み口体４を用いての掃除において、この吸込み口体４のヘッド部３１の前縁が家具等に衝突した場合、その衝撃をアーム部１７で干渉することができる。
【００４８】
又、既述のように吸込み具５は吸込み口体４の一部をなす部品として装備されているので、この吸込み具５を保管する場所を掃除機本体２等に考慮する必要がない。
【００４９】
図７〜図９を参照して本発明の第２実施形態を説明する。第２実施形態は以下説明する事項以外は第１実施形態と同じである。そのため、第１実施形態と同じ構成については第１実施形態と同一符号を付してその説明を省略する。
【００５０】
第２実施形態では、一対の吸引アーム１６間に家具等の脚が受け入れられたことを検出して、一対の吸引アーム１６を脚Ｌに寄らせる構成が、第１実施形態とは相違し、この構成に第１実施形態の紐に代えて以下の構成を採用している。
【００５１】
即ち、第２実施形態では、検出手段が検出釦５１により形成されているとともに、この検出釦５１とアーム部１７とを連動させるために一対の吸引アーム１６がアーム駆動凸部５２を備えている。
【００５２】
検出釦５１は、合流部１１の下ケース部材１３の前壁中央部に、これを貫通して前後方向に移動可能に支持されている。なお、図９中符号１３ｄは検出釦５１を円滑に移動させるために下ケース部材１３の前壁裏面に設けた釦ガイドを示している。
【００５３】
アーム駆動凸部５２は、一対の吸引アーム１６の嵌合端部（合流側端部）１９から夫々一体に突設されている。各アーム駆動凸部５２が検出釦５１の押し込み移動に追従するように、これらアーム駆動凸部５２の先端部は、いずれも合流部１１の内部において検出釦５１の裏面に接触している（図８参照）。
【００５４】
一対の吸引アーム１６は、合流部１１への取付け部、詳しくは、吸引アーム１６の嵌合端部１９と、合流部１１の側壁の図示しないアーム接続口との嵌合部を支点として、アーム部１７が接近離反する方向に回動可能に設けられている。第２実施形態において吸引アーム１６の撓み部１８における前側部分は、可撓変形ができないように構成され、例えば接着剤などで固められていて、アーム駆動凸部５２の動きにアーム部１７の動きが追従できるようにしてある。
【００５５】
これらアーム駆動凸部５２は板ばね（付勢部材）２５の付勢力により検出釦５１に押付けられている。すなわち、板ばね２５の付勢力によりアーム部１７とアーム駆動凸部５２とを介して検出釦５１が図８に示す元の位置に戻される。このため、検出釦５１が押し込まれていない状態では、この検出釦５１は図７及び図８に示すように合流部１１の前壁から突出した状態に保持されている。以上説明した以外の構成は、図７〜図９に示されない構成を含めて第１実施形態と同じである。
【００５６】
この第２実施形態の吸込み具５の使用において、その一対の吸引アーム１６間のスペースＳに、吸込みヘッド６のアーム取付け部３８又は家具の脚を受入れて、これらアーム取付け部３８又は家具の脚に合流部１１を押し当てるようにすると、相対的にアーム取付け部３８又は家具の脚が検出釦５１に当たって、この検出釦５１が図９中二点鎖線の位置から実線で示した位置まで押込まれる。
【００５７】
それに伴い、検出釦５１が一対のアーム駆動凸部５２を図８中矢印Ｂ方向に押し動かす。これと同時に、図８中矢印Ｃ方向に一対の吸引アーム１６が合流部１１への取付け部を支点として動かされて、アーム部１７同士が互いに近寄せられる。このため、アーム部１７が家具の脚の下端部に接近した状態に配置される。なお、この時、撓み部１８の後部が蛇腹を長くする方向に延びて吸引アーム１６の前記回動を許容するとともに、板ばね２５は更に付勢力が強くなるように弾性変形される。
【００５８】
したがって、第２実施形態においても、第１実施形態で既に説明した理由によって、吸込みヘッド６のアーム取付け部３８を抱持した状態で、吸込みヘッド６に対して吸込み具５をロック手段７により連結して吸込み口体４を組立てることができる。これとともに、吸込み具５を用いて家具の脚を掃除する際には、第１実施形態で既に説明した理由によって、脚の下端部を一方向からだけではなく、脚を挟むようにして脚の下端部に付着した塵を吸引できる。このため、脚の下端部に付着した塵を吸込んで掃除するに際して、吸込み具５を様々な角度から押し当てる回数を減らすことができる。
【００５９】
なお、本発明は前記各実施形態には制約されない。例えば、吸込み具５は、これを構成部品として用いない構成の吸込み口体とは別にして電気掃除機の付属品として装備することができる。この場合、掃除機本体や吸塵風路体の適当な箇所に保持部を設けて、この保持部に吸込み具５を着脱可能に保持することが好ましい。
【００６０】
また、吸込み具５が有する一対の吸引アームは、所定の角度で開いて二股状に配置されたものであればよく、前記各実施形態のように互いに接近離反する方向に可動することは、本発明において必ずしも要するものではない。したがって、これら一対の吸引アームを動かない構成として実施することもできる。
【００６１】
更に、一対の吸引アーム間への掃除対象物の受け入れを検出し、これら吸引アームが互いに近寄る方向に可動する構成を採用する場合、前記第１、第２の実施形態では、掃除対象物をこれとの接触により検出する検出手段を利用して一対の吸引アームを互いに近付く方向に移動させたので、構成が簡単である点で好ましい。しかし、本発明はこれらの実施形態に代えて、一対の吸引アーム間のスペースに受入れられた掃除対象物の非接触式検出手段として、例えば合流部の前壁に反射型の近接センサを組込むとともに、電動機等を駆動源とする駆動部を合流部に組込み、この駆動部を近接センサの検出に基づいて動作させて一対の吸引アームを互いに反対方向に回動させるようにして実施することも可能である。
【００６２】
又、前記各実施形態では好ましい例として一対の吸引アームの両方を可動させたが、本発明は、両吸引アームの内の一方を、他方の吸引アームに対して接近離反する方向に可動させて実施することも可能である。
【図面の簡単な説明】
【００６３】
【図１】本発明の第１実施形態に係る吸込み具を示す斜視図。
【図２】図１の吸込み具を示す断面図。
【図３】図１の吸込み具を備えた本発明の第１実施形態に係る吸込み口体を示す平面図。
【図４】図３中Ｆ４−Ｆ４線に沿って示す吸込み口体の断面図。
【図５】図３中Ｆ５−Ｆ５線に沿って示す吸込み口体の断面図。
【図６】（Ａ）は図１の吸込み具で脚付き家具の脚を掃除する直前の情況を示す斜視図。（Ｂ）は図１の吸込み具で脚付き家具の脚を掃除する情況を示す斜視図。
【図７】本発明の第２実施形態に係る吸込み具を示す斜視図。
【図８】図７の吸込み具を示す断面図。
【図９】図７の吸込み具を備えた本発明の第２実施形態に係る吸込み口体を示す図５相当の断面図。
【符号の説明】
【００６４】
４…吸込み口体、５…吸込み具、６…吸込みヘッド、７…ロック手段、１１…合流部、１１ａ…内部空間（合流空間）、１４…ロック孔（ロック手段の被ロック部）、１５…接続管、１６…吸引アーム、１７…アーム部、１８…撓み部、１９…嵌合端部（合流部側端部）、２０…吸口、Ｓ…スペース、２３…紐（検出手段）、２５…板ばね（付勢部材）、３１…ヘッド部、３２…吸込み口、３８…アーム取付け部、３９…通孔、４１…ロック手段の係脱機構部、５１…検出釦（検出手段）、５２…アーム駆動凸部
【図１】
2010082237.tif 000003
【図２】
2010082237.tif 000004
【図３】
2010082237.tif 000005
【図４】
2010082237.tif 000006
【図５】
2010082237.tif 000007
【図６】
2010082237.tif 000008
【図７】
2010082237.tif 000009
【図８】
2010082237.tif 000010
【図９】
2010082237.tif 000011